(57)【特許請求の範囲】
【請求項１】
ケーシング内に流路を形成すると共に、ケーシング先端部前面に少なくとも１個の通水孔を貫設し、又３個の有底筒状にして前方開口状のケースを直列配置すると共に、隣接する一対のケースを、後方のケースの前方開口部に、前方のケースの底部を嵌合して連結し、最後方の第１ケースを前記ケーシングの先端部前面に回動自在に装着し、第１ケースに、上記ケーシングの通水孔に連通可能な複数個の通水孔を貫設し、該複数個の通水孔の少なくとも１個を第１ケース内への通水孔とすると共に、それを除く各通水孔と残る第２、３ケースを接続する直通流路を設け、第２ケースへの直通流路を、該第２ケースに貫設した第２ケース内への通水孔の底面側の外周部に突設して、第１ケースの第２ケース内への通水孔に接続した嵌合筒部とし、第３ケースへの直通流路を、該第２、３ケースに貫設した第３ケース内への通水孔の底面側の外周部に突設して、第１、２ケースの第３ケース内への通水孔に接続した嵌合筒部とし、第１ケースの周壁部に噴霧ノズルを接続すると共に、第２、３ケース間に、第３ケースの外周面に形成した吐水溝により吐水手段を形成し、第３ケースの前方開口部に噴水部を嵌合したことを特徴とする浴室用の手持ち式噴霧器。
【請求項２】
噴霧ノズルの絞り量を調節自在としたことを特徴とする請求項１記載の浴室用の手持ち式噴霧器。
【請求項３】
噴霧ノズルを複数個接続したことを特徴とする請求項１又は２記載の浴室用の手持ち式噴霧器。
【発明の詳細な説明】
【０００１】
【発明の属する技術分野】
本発明は、浴室のシャワー設備における送水手段（フレキシブルチューブ）の先端に装着する手持ち式噴霧器に関する。
【０００２】
【従来の技術】
従来、浴室を低温サウナにするための噴霧装置にあっては、浴室内に据え付ける箱状の装置本体の上部に噴霧口が形成されており、該噴霧口から水微粒子を噴出させる様に成っている。
【０００３】
【発明が解決しようとする課題】
しかし、上記噴霧装置にあっては、浴室内の一角に据付けのためのスペースが必要になるため、ただでさえ狭い一般住居の浴室が更に狭くなってしまう等解決せねばならない課題があった。
【０００４】
【課題を解決するための手段】
本発明は、上記従来技術に基づく、浴室の一角に噴霧装置の設置スペースが必要になる課題に鑑み、ケーシング内に流路を形成すると共に、該流路の先端に噴霧ノズルを接続し、該噴霧ノズルの先端をケーシングの上部前面より突出させた手持ち式噴霧器を、既存のシャワー設備の送水手段、即ちフレキシブルチューブの先端に装着することによって、その他の装置を浴室内に設置せずに浴室内に水微粒子を充満させることを可能にして、上記課題を解決する。
【０００５】
更に、ケーシング内に流路を形成すると共に、ケーシング先端部前面に少なくとも１個の通水孔を貫設し、又３個の有底筒状にして前方開口状のケースを直列配置すると共に、隣接する一対のケースを、後方のケースの前方開口部に、前方のケースの底部を嵌合して連結し、最後方の第１ケースを前記ケーシングの先端部前面に回動自在に装着し、第１ケースに、上記ケーシングの通水孔に連通可能な複数個の通水孔を貫設し、該複数個の通水孔の少なくとも１個を第１ケース内への通水孔とすると共に、それを除く各通水孔と残る第２、３ケースを接続する直通流路を設け、第２ケースへの直通流路を、該第２ケースに貫設した第２ケース内への通水孔の底面側の外周部に突設して、第１ケースの第２ケース内への通水孔に接続した嵌合筒部とし、第３ケースへの直通流路を、該第２、３ケースに貫設した第３ケース内への通水孔の底面側の外周部に突設して、第１、２ケースの第３ケース内への通水孔に接続した嵌合筒部とし、第１ケースの周壁部に噴霧ノズルを接続すると共に、第２、３ケース間に、第３ケースの外周面に形成した吐水溝により吐水手段を形成し、第３ケースの前方開口部に噴水部を嵌合した手持ち式噴霧器を、既存のシャワー設備の送水手段（フレキシブルチューブの先端）に装着し、最後方のケースを回動操作することで吐水手段を適宜選択することによって、噴霧機能とは別の機能も具備させる様にしている。
【０００６】
【発明の実施の形態】
以下本発明の一実施例を図面に基づいて説明する。
図１は、本発明に係る手持ち式噴霧器の側面図、図２は、手持ち式噴霧器を噴霧ノズルとして使用した状態を示す正面図、図３は、図２のＸーＸ断面図、図４は、噴霧ノズルの取付状態を示す断面図、図５は、噴霧ノズルにおけるノズル本体の正面図、図６は、手持ち式噴霧器を間欠シャワーとして使用した状態を示す正面図、図７は、図６のＹーＹ断面図、図８は、手持ち式噴霧器をシャワーとして使用した状態を示す要部正面図、図９は、図８のＺーＺ断面図、図１０は、噴霧ノズル、間欠シャワー又はシャワーとして使用した場合の受皿体、第１〜３ケースの位置関係を示す分解図である。
【０００７】
本発明に係る手持ち式噴霧器にあっては、図１に示す様に、シャワー設備ＳにおけるフレキシブルチューブＴの先端に装着するケーシング１の上端側前面に各種吐水手段を設けた切換部２を回動自在に装着している。
ケーシング１の基端側を把手部1a、先端側を頭部1bとし、該頭部1bの前面に切換部２を配設している。
又、ケーシング１内に流路３を形成し、該流路３は、図３、７、９に示す様に、把手部1a内に設けた送水管部3aの先端側を、頭部1b内の中央に一体形成した大径な円筒部3bに接続して形成し、流路３（送水管部3a）の基端部にフレキシブルチューブＴを接続している。
【０００８】
円筒部3bの前方に受皿体４を設け、該受皿体４は円形状の受皿本体4aの後面に、円筒部3bの前方開口部への嵌合体4bを一体形成したものである。
受皿体４の中央以外の部分に一対２個の通水孔５、5aを形成し、該通水孔５、5aを、受皿体４の中央を中心とする同心円上にして、当該同心円の直径線上に位置している。
尚、受皿体４における嵌合体4bと円筒部3bの内周面間を水密状態とすべくＯリング６を介設している。
【０００９】
受皿体４に有底円筒状の第１ケース７の底部を回動可能に嵌合し、受皿体４における受皿本体4aの内底面と第１ケース７の底面を密着状態としている。
又、受皿体４の外周面及び第１ケース７の内周面間を水密状態とすべくＯリング８を設けている。
第１ケース７の底部に複数個の通水部位９、9a…を貫設し、該通水部位９、9a…を三対６個の通水孔10、10a 、11、11a 、12、12a に分類し、該通水孔10、10a 、11、11a 、12、12a を、第１ケース７の回動中心を中心とする同心円上に配置している。そして、第１ケース７を回転させることで、通水孔10、10a 、11、11a 、12、12a の各対毎に受皿体４の通水孔５、5aと連通する様に成っている。通水孔10、10a を除く通水孔11、11a 、12、12a の内底面側の外周部に嵌合筒部13、13a 、14、14a を突設している。
尚、受皿体４の通水孔５、5aにあっては、前方側が大径な段付孔とし、かかる通水孔５、5aの大径部位に円筒状のパッキン15、15a を嵌入すると共に、パッキン15、15a と通水孔５、5aの段部間に圧縮バネ16、16a を介設して、パッキン15、15a が常時第１ケース７の底面に水密状に密着する様に成っている。
【００１０】
第１ケース７の前方開口部に、有底円筒状の第２ケース7aの底部を嵌合し、該第２ケース7aの底部に複数個の通水部位17、17a …を貫設し、該通水部位17、17a …を二対４個の通水孔18、18a 、19、19a に分類し、該通水孔18、18a 、19、19a の底面側の外周部に嵌合筒部20、20a 、21、21a を突設し、該嵌合筒部20、20a 、21、21a と、第１ケース７における嵌合筒部13、13a 、14、14a を連結している。そして、第１ケース７における通水孔12、12a 及び嵌合筒部14、14a 、第２ケース7aにおける嵌合筒部21、21a 及び通水孔19、19a により、第１ケース７内に流入せずに通水孔12、12a から第２ケース7aへ送水する直通流路22、22を形成している。
又、第１、２ケース７、7aの外周壁間、第１ケース７における嵌合筒部13、13a 、14、14a と第２ケース7aにおける嵌合筒部20、20a 、21、21a の連結部位の内外周面間を水密状態とすべくＯリング23、24、24a 、25、25a を設けている。
【００１１】
第２ケース7aの前方開口部に、有底円筒状の第３ケース7bの底部を嵌合し、該第３ケース7bの底部に複数個（図面上２個）の通水部位26、26a を貫設し、該通水部位26、26a を一対２個の通水孔27、27a とし、該通水孔27、27a の底面側の外周部に嵌合筒部29、29a を突設し、該嵌合筒部29、29a の先端を、第２ケース7aにおける通水孔18、18a に連結している。そして、第１ケース７における通水孔11、11a 及び嵌合筒部13、13a 、第２ケース7aにおける嵌合筒部20、20a 及び通水孔18、18a 、第３ケース7bにおける嵌合筒部29、29a 及び通水孔27、27a により、第１、２ケース７内に流入せずに通水孔11、11a から第３ケース7bへ送水する直通流路22a 、22a を形成している。
又、第２ケース7aにおける通水孔18、18a の内周面と、第３ケース7bにおける嵌合筒部29、29a の先端部の外周面間を水密状態とすべくＯリング30、30a を設けている。
【００１２】
第１、２、３ケース７、7a、7bの中央を中心軸31が貫通し、該中心軸31の先端を、頭部1bにおける円筒部3bの中央部に設けて、受皿体４の中央部を貫通したナット部材32に螺入している。又、中心軸31の基端側に板状の頭体31a を一体形成して、第１、２、３ケース７、7a、7bを一体化すると共に、受皿体４における受皿本体4aの内底面と第１ケース７の底面を密着させている。
尚、各第１、２、３ケース７、7a、7bにおける中心軸31の貫通部位に、該中心軸31の挿通筒体33、33a 、33b を一体突設し、該円筒体33、33a 、33b と中心軸31間にＯリング34、34a 、34b を設けている。
又、受皿体４におけるナット部材32の貫通部位の内周面とナット部材32の外周面間を水密状態とすべくＯリング35を設けている。
【００１３】
第１ケース７の周壁部に複数個（図面上２個）の取付口36、36a を形成し、各取付口36、36a に直角屈曲状の接続管37の基端部を連結すると共に、接続管37の先端部に、吐水手段38、38a …の１つである噴霧ノズル39を接続している。
噴霧ノズル39を、接続管37に接続したノズル本体40の先端部にキャップ41を被冠して形成している。
又、取付口36、36a の内周面と接続管37の外周面間、ノズル本体40及び接続管37の接続部位における内外周面間を水密状態とすべくＯリング42、42a を設けている。
ノズル本体40の中央に、接続管37に連通する流路43を形成し、該流路43の先端側をノズル本体40の先端面で開口させずに、ノズル本体40の先端側面より流路43に貫通する流出孔44を形成して、流路43の先端がノズル本体40の先端側面で開口する様にしている。
又、ノズル本体40におけるキャップ41の内側部位の先端側部分を減径し、当該減径部45の先端部に円錐台状の拡径部46を形成すると共に、該拡径部46の外周面に複数本の溝47、47a …を形成し、該溝47、47a …を、拡径部46の外周面の母線方向より若干傾けて形成している。
キャップ41の先端面中央に噴霧孔48を形成し、キャップ41における内周面の奥側部位を奥側へ縮閉するテーパー面49としている。
又、ノズル本体40における減径部45より後方部位の外周面及びキャップ41における内周面の開口側部位にネジ山及びネジ溝を形成して、ノズル本体40の先端に対しキャップ41を螺嵌し被冠している。
又、ノズル本体40及びキャップ41におけるネジ山及びネジ溝より後方部位の内外周面間を水密状態とすべくＯリング50を設けている。
【００１４】
第３ケース7bの外周壁面に複数本の吐水溝51、51a …を形成して、第２、３ケース7a、7b間に吐水手段38、38a …の１つを形成し、かかる吐水溝51、51a …を前方側へ序々に浅く形成している。
又、吐水溝51、51a …にあっては、幅及び深さの異なるものが規則的に混在する様に形成されている。
【００１５】
第３ケース7bの前方開口部に吐水手段38、38a …の１つである噴水部60を嵌合し、該噴水部60のケーシング61内に羽根62を回動自在に設けると共に、ケーシング61の外周面に複数個の取水孔63を貫設し、ケーシング61の前面に吐水孔64、64a …を貫設している。
尚、取水孔63の形成方向を、ケーシング61の求心方向に形成しないことで、羽根62を回転させる様にしている。
又、ケーシング61の外周面における取水孔63より前方部位と第３ケース7bの内周面間を水密状態とすべくＯリング65を設けている。
【００１６】
図３、７、９に示す様に、第２ケース7aを前部カバー66に一体形成すると共に、該前部カバー66に、受皿体４の貫通部位67を形成した後部カバー68を螺着等の手段により固定し、該前部カバー66及び後部カバー68内に噴霧ノズル39を収容すると共に、該噴霧ノズル39の先端を前部カバー66を貫通させ前方突出させている。
【００１７】
ケーシング１における頭部1b内にして円筒部3bの外側に進退自在なストッパー70を設け、他方後部カバー68の後面にストッパー70の先端部の係合部71、71a …を形成している。
【００１８】
尚、上記実施例にあっては、３個のケース７、7a、7bにより構成していたが、かかる個数に限定せず、４個以上であっても良く、要するに下記の様な構成であれば良い。
即ち、複数個の有底筒状にして前方開口状のケース７、7a…を、隣接する後方のケース７、7a…の前方開口部に、前方のケース7a、7b…の底部を嵌合して連結すると共に、最後方のケース７をケーシング１の先端部前面に回動自在に装着し、最後方のケース７に複数個の通水部位９、9a…を、最後方のケース７の回動中心を中心とする同心円上に配置貫設すると共に、該通水部位９、9a…の少なくとも１個を除く全てと、残る全てのケース7a、7b…を接続する直通流路22、22a …を設け、全ケース７、7a…に各種吐水手段38、38a …を設け、而も異なる吐水手段38、38a …に同時に送水しない様に、ケーシング１側の通水孔５、5a及び最後方のケース７側の通水部位９、9a…を形成したものであれば良い。
又、最後方のケース７に複数個の通水部位９、9a…を同心円上に配置せずに、ケーシング１側に複数対の通水孔５、5aを形成すると共に、最後方のケース７側の通水部位９、9a…を、異なる吐水手段38、38a …に同時に送水しない様に形成しても良い。
【００２０】
図１に示す様に、フレキシブルチューブＴの基端側に濾過器105 を設けて、水道水内の不純物を除去する様にしても良い。
【００２１】
次に本発明に係る手持ち式噴霧器の作用について説明する。
図２〜４に示す様に、噴霧ノズル39の使用時は、水が通水孔５、5a、通水孔10、10a 、第１ケース７内、取付口36、36a 及び接続管37を介してノズル本体40の流路43内に流入すると共に、ノズル本体40の先端側面の流出孔44よりキャップ41及び減径部45間に送られる。その後、キャップ41及び拡径部46間の隙間、該隙間が無い場合には溝47、47a …の出口側より流出し、ノズル本体40先端及びキャップ41間の空間部に充満して、噴霧孔48より霧状の水微粒子になって噴出する。
噴霧ノズル39内の流水経路は、先端側へ序々に狭くなって行くことから、水の圧力が序々に高くなり、噴霧孔48から水微粒子が効率良く噴出する。
【００２２】
キャップ41の締緩により噴霧ノズル39の絞り量を調節可能にすることで、噴霧孔48から噴出する水微粒子の径を調節可能にしている。具体的には、キャップ41を締めれば、テーパー面49が最終的に拡径部46の外周縁部に当接する。この場合、水は溝47、47a …の出口側からしか流出せず、水圧が非常に高くなって噴霧孔48から噴出するため、極微小な霧状の水微粒子になる。
【００２３】
噴霧孔48からの噴出時に水が急激に微粒化して、かかる水微粒子の表面エネルギーが変化し水微粒子が正電荷に帯電することで、その周囲の空気が負電荷に帯電する。一般的には、主にOH- イオンと空気中の水分子が結合したヒドロキシルイオン（OH- ＋（H2O)n ) が発生すると考えられている。
これを呼吸により体内に取り込むと、呼吸時に生成される身体に悪影響を及ぼす活性酸素の殆どが、負電荷空気の余剰電子により還元されるため、活性酸素の体内残存量を極少量に抑えることが出来、更に肩凝りの原因である乳酸を分解し無害化したり、新陳代謝させるための自律神経を安定させると共に、細胞膜の電位に影響を与えることで、細胞膜の透過性が向上して栄養物、老廃物等の出入りがスムーズになるため、身体に好影響を与える。
【００２４】
そして、霧状の水微粒子の身体に直接浴びせたり、或いは熱湯を微粒化した高温の水微粒子を浴室内に充満させることで、浴室内暖房を行ったり、浴室内を低温サウナにする。
尚、各家庭における供給温水の水圧が、例えば給湯装置の性能等により異なることから、噴霧ノズル39の絞り量を調節すれば、浴室内の暖房効率を向上させることが可能になる。
【００２６】
「間欠シャワー」の場合、図６、７に示す様に、通水孔５、5a及び直通流路22a 、22a （第１ケース７における通水孔11、11a 及び嵌合筒部13、13a 、第２ケース7aにおける嵌合筒部20、20a 及び通水孔18、18a 、第３ケース7bにおける嵌合筒部29、29a 及び通水孔27、27a ）を介して第３ケース7b内に送水され、かかる水が噴水部60における複数個の取水孔63から噴水部60内に流入して羽根62を回転させると共に、吐水孔64、64a …から噴出する。
その際に、吐水孔64、64a …は回転状態の羽根62により断続的な開閉を繰り返すことになり、水は細長い塊と成って噴出し、「滝打ち」の状態になる。
【００２７】
「シャワー」の場合、図８、９に示す様に、通水孔５、5a及び直通流路22、22（第１ケース７における通水孔12、12a 及び嵌合筒部14、14a 、第２ケース7aにおける嵌合筒部21、21a 及び通水孔19、19a ）を介して第２ケース7a内に送水され、かかる水が吐水溝51、51a …により複数条化して噴出する。
【００２８】
図１１示す様に、浴槽の内壁部に手持ち式噴霧器の頭部1bを固定して、水を噴出させると、浴槽内にジェット水流が発生する。
【００２９】
【発明の効果】
要するに本発明は、ケーシング１内に流路３を形成すると共に、ケーシング１先端部前面に少なくとも１個の通水孔５、5aを貫設し、又３個の有底筒状にして前方開口状のケース７、7a、7bを直列配置すると共に、隣接する一対の第１、２ケース７、7a及び第２、３ケース7a、7bを、後方のケース７、7aの前方開口部に、前方のケース7a、7bの底部を嵌合して連結し、最後方の第１ケース７を前記ケーシング１の先端部前面に回動自在に装着し、第１ケースに、上記ケーシング１の通水孔５、5aに連通可能な複数個の通水孔10、10a 、11、11a 、12、12a を貫設し、該複数個の通水孔10、10a 、11、11a 、12、12a の少なくとも１個を第１ケース７内への通水孔10、10a とすると共に、それを除く各通水孔11、11a 、12、12a と残る第２、３ケース7a、7bを接続する直通流路22、22、22a 、22a を設け、第２ケース7aへの直通流路22、22を、該第２ケース7aに貫設した第２ケース7a内への通水孔19、19a の底面側の外周部に突設して、第１ケース７の第２ケース7a内への通水部位12、12a に接続した嵌合筒部21、21a とし、第３ケース7bへの直通流路22a 、22a を、該第２、３ケース7a、7bに貫設した第３ケース7b内への通水部孔18、18a 、27、27a の底面側の外周部に突設して、第１、２ケース７、7aの第３ケース7b内への通水孔11、11a 、18、18a に接続した嵌合筒部20、20a 、29、29a とし、第１ケース７の周壁部に噴霧ノズル39を接続すると共に、第２、３ケースケース7a、7b間に、第３ケース7bの外周面に形成した吐水溝51、51a …により吐水手段を形成し、第３ケース7bの前方開口部に噴水部60を嵌合したので、かかるケーシング１における流路３の基端部に既設のシャワー設備ＳのフレキシブルチューブＴを接続すれば、確実に噴霧ノズル39から水微粒子を噴出させることが出来るため、レナード効果により負電荷空気を発生させ身体に作用させることや、浴室内を暖めたり低温サウナにすることが出来、よって噴霧ノズル39用の給水、給湯設備を別途設置せずに、既設のシャワー設備Ｓを利用することが出来る。
【００３０】
ケーシング１内に流路３を形成すると共に、ケーシング１の先端部前面に少なくとも１個の通水孔５、5aを貫設したので、かかるケーシング１における流路３の基端部に既設のシャワー設備ＳのフレキシブルチューブＴを接続すれば、確実に通水孔５、5aから各種吐水手段38、38a …へ送水することが出来る。
又、３個の有底筒状にして前方開口状のケース７、7a、7bを直列配置すると共に、隣接する一対の第１、２ケース７、7a及び第２、３ケース7a、7bを、後方のケース７、7aの前方開口部に、前方のケース7a、7bの底部を嵌合して連結し、最後方の第１ケース７を前記ケーシング１の先端部前面に回動自在に装着し、第１ケース７に、上記ケーシング１の通水孔５、5aに連通可能な複数個の通水孔10、10a 、11、11a 、12、12a を貫設し、該複数個の通水孔10、10a 、11、11a 、12、12a の少なくとも１個を第１ケース７内への通水孔10、10a とすると共に、それを除く各通水孔11、11a 、12、12a と残る第２、３ケース7a、7bを接続する直通流路22、22、22a 、22a を設け、第２ケース7aへの直通流路22、22を、該第２ケース7aに貫設した第２ケース7a内への通水孔19、19a の底面側の外周部に突設して、第１ケース７の第２ケース7a内への通水部位12、12a に接続した嵌合筒部21、21a とし、第３ケース7bへの直通流路22a 、22a を、該第２、３ケース7a、7bに貫設した第３ケース7b内への通水部孔18、18a 、27、27a の底面側の外周部に突設して、第１、２ケース７、7aの第３ケース7b内への通水孔11、11a 、18、18a に接続した嵌合筒部20、20a 、29、29a とし、第１ケース７の周壁部に噴霧ノズル39を接続すると共に、第２、３ケースケース7a、7b間に、第３ケース7bの外周面に形成した吐水溝51、51a …により吐水手段を形成し、第３ケース7bの前方開口部に噴水部60を嵌合したので、最後方のケース７を回動操作するだけで、各種吐水手段38、38a …に切り換えることが出来るため、用途に応じた使用法を簡単に選択することが出来、而も所望の吐水手段38、38a …だけを確実に使用することが出来る。
又、第１ケースに、上記ケーシング１の通水孔５、5aに連通可能な複数個の通水孔10、10a 、11、11a 、12、12a を貫設し、該複数個の通水孔10、10a 、11、11a 、12、12a の少なくとも１個を第１ケース７内への通水孔10、10a とすると共に、それを除く各通水孔11、11a 、12、12a と残る第２、３ケース7a、7bを接続する直通流路22、22、22a 、22a を設け、第２ケース7aへの直通流路22、22を、該第２ケース7aに貫設した第２ケース7a内への通水孔19、19a の底面側の外周部に突設して、第１ケース７の第２ケース7a内への通水部位12、12a に接続した嵌合筒部21、21a とし、第３ケース7bへの直通流路22a 、22a を、該第２、３ケース7a、7bに貫設した第３ケース7b内への通水孔18、18a 、27、27a の底面側の外周部に突設して、第１、２ケース７、7aの第３ケース7b内への通水孔11、11a 、18、18a に接続した嵌合筒部20、20a 、29、29a としたので、ケーシング１側から各ケース７、7a、7bに確実に送水することが出来る。
又、第１ケース７の周壁部に噴霧ノズル39を接続すると共に、第２、３ケースケース7a、7b間に、第３ケース7bの外周面に形成した吐水溝51、51a …により吐水手段を形成し、第３ケース7bの前方開口部に噴水部60を嵌合したので、既設のシャワー設備Ｓを多目的に使用することが出来る。
【００３１】
噴霧ノズル39の絞り量を調節自在としたので、噴霧ノズル39から吐出する水微粒子の勢いを調節することが出来るため、機種、メーカー、使用期間等により異なる給湯設備側から送出される温水の水圧に拘らず、水微粒子の大きさ及び勢いを各個人の好みに合わせることが出来る。
【００３２】
シャワー設備Ｓ側の給湯装置が、ガス、灯油等の燃料加熱式の場合、温水使用時に、噴霧ノズル39が１個だけでは、給湯装置の負担が大きくなり過ぎて該給湯装置が停止してしまうことが想定されること、第２に、吐水量が少ないことから、負電荷への帯電率が低く、温水噴霧による浴室内暖房の効率が低くなるが、噴霧ノズル39を複数個接続したので、上記不具合を解消することか出来る等その実用的効果甚だ大である。
【図面の簡単な説明】
【図１】  多機能型の手持ち式噴霧器の側面図である。
【図２】  手持ち式噴霧器を噴霧ノズルとして使用した状態を示す正面図である。
【図３】  図２のＸーＸ断面図である。
【図４】  噴霧ノズルの取付状態を示す断面図である。
【図５】  噴霧ノズルにおけるノズル本体の正面図である。
【図６】  手持ち式噴霧器を間欠シャワーとして使用した状態を示す正面図である。
【図７】  図６のＹーＹ断面図である。
【図８】  手持ち式噴霧器をシャワーとして使用した状態を示す要部正面図である。
【図９】  図８のＺーＺ断面図である。
【図１０】  噴霧ノズル、間欠シャワー又はシャワーとして使用した場合の受皿体、第１〜３ケースの位置関係を示す分解図である。
【図１１】  浴槽内にジェット水流を発生させるための手持ち式噴霧器の使用状態を示す断面図である。
【符号の説明】
１          ケーシング
３          流路
５、5a      通水孔
７、7a、7b  第１、２、３ケース
10、10a 、11、11a 、12、12a   通水孔
18、18a 、19、19a   通水孔
27、27a     通水孔
20、20a     嵌合筒部
21、21a     嵌合筒部
22、22、22a 、22a   直通流路
29、29a     嵌合筒部
38、38a …  吐水手段
39          噴霧ノズル
51、51a …  吐水溝
60          噴水部
【図１】
0003746692.tif 000002
【図２】
0003746692.tif 000003
【図３】
0003746692.tif 000004
【図４】
0003746692.tif 000005
【図５】
0003746692.tif 000006
【図６】
0003746692.tif 000007
【図７】
0003746692.tif 000008
【図８】
0003746692.tif 000009
【図９】
0003746692.tif 000010
【図１０】
0003746692.tif 000011
【図１１】
0003746692.tif 000012